(57)【要約】  【課題】  筐体に貼り付けられた型番及び製造番号等を示すラベルを容易に除去可能にする。  【解決手段】  テレビジョン装置が有する合成樹脂製の筐体の外面に型番及び製造番号等を示す矩形状のラベル３が貼り付けてあるラベル貼付箇所に対応する筐体内面側の矩形部分２ｅの周囲に溝４を形成し、溝４の複数箇所に溝内を埋めて筐体内方へ突出する円筒状の突出部５を設ける。溝４は、筐体のラベル貼付箇所の厚みの半分以上となる溝深さを有し、突出部５には根元側の外周の一部に凹部５ａを形成する。リサイクル作業では、突出部５を凹部５ａ側からハンマー８で打撃し、次に、矩形部分２ｅを筐体内面側からハンマー８で打撃し、ラベル３が貼り付けられた矩形部分２ｅを除去する。【選択図】      図４
2006054218.tif 000002
【特許請求の範囲】
【請求項１】
合成樹脂製の筐体の外面にラベルが貼り付けてある電気機器において、
ラベル貼付箇所に対応する筐体内面側の部分の周囲に形成してある溝と、
該溝の複数箇所で溝内を埋めて筐体内方へ突出してある突出部と
を備えることを特徴とする電気機器。
【請求項２】
前記溝は、筐体のラベル貼付箇所の厚みの半分以上となる溝深さを有しており、
前記突出部は、根元側の外周の一部に凹部が形成してある請求項１に記載の電気機器。
【請求項３】
前記溝の底部に穴が形成してある請求項１又は請求項２に記載の電気機器。
【請求項４】
合成樹脂製の筐体の外面にラベルが貼り付けてある電気機器において、
ラベル貼付箇所の周囲に形成してある環状の開口部と、
該開口部の外縁側及び内縁側を部分的に連結する連結部と、
前記開口部の外縁より筐体内方へ突出してある突出部と、
該突出部の突出端から前記開口部を覆うように筐体内面と平行的に延出する延出部と
を備えることを特徴とする電気機器。
【請求項５】
合成樹脂製の筐体の外面にラベルが貼り付けてある電気機器において、
前記筐体は、
ラベルの貼り付けに係る外面を含む筐体部分を一方向の断面が外方向へ凸となるように湾曲しており、
前記筐体部分に形成してある開口と、
該開口に嵌合してあり、前記筐体部分と同様に湾曲してある嵌合部材と
を備え、
前記嵌合部材にラベルが貼り付けてあることを特徴とする電気機器。
【請求項６】
前記開口の内縁には、係合部が形成してあり、
前記嵌合部材の前記係合部に対応する外縁には、被係合部が形成してある請求項５に記載の電気機器。
【請求項７】
前記嵌合部材は、前記筐体部分に比べて可撓性が大きいことを特徴とする請求項５又は請求項６に記載の電気機器。
【発明の詳細な説明】
【技術分野】
【０００１】
本発明は、電気機器の合成樹脂製の筐体をリサイクルする作業の際、筐体に貼り付けてある製造番号及び機器の定格出力等を示すラベルを効率的に除去できるようにした電気機器に関する。
【背景技術】
【０００２】
昨今、資源の有効利用を図るため使用済みの電気機器を回収し、電気機器に使用されている様々な材料をリサイクルすることが行われている。例えば、テレビジョン装置のような電気機器は合成樹脂製の筐体を採用していることが通常であり、このような合成樹脂製の筐体もリサイクルの対象になる。
【０００３】
合成樹脂材のリサイクルでは、リサイクル材の品質を高めるためにリサイクル対象の合成樹脂材から合成樹脂以外の材料を排除する必要がある。一般に電気機器は、筐体の背面又は底面に型番、製造番号、及び電気機器の定格出力等を示すラベルが貼り付けてあるため、筐体のリサイクル工程では先ず、このようなラベルを除去する作業を行う。ラベルの除去は、サンダー等の機械工具を用いてラベルを削る取ることが一般的である。
【０００４】
なお、ラベルを効率的に除去するために、筐体のラベルの貼付箇所の略中央に剥離用穴を形成し、ラベルを除去する際には剥離用穴に対応するラベルの部分を突き破り、突き破った周囲を把持してラベルを剥離することが開示されている（特許文献１参照）。
【特許文献１】実開平７−１０９８５号公報
【発明の開示】
【発明が解決しようとする課題】
【０００５】
上述したように、サンダー等の機械工具を用いてラベルを削り取るには、ラベルに機械工具をこすりつけて何度も往復しなければならず、削り取りに要する作業時間が長くなり、リサイクル作業の効率化を図れないと云う問題がある。また、サンダー等による削り取りでは、多量の粉塵が発生し作業環境を悪化させると云う問題がある。
【０００６】
さらに、特許文献１に開示されているように、ラベルの貼付箇所に剥離用穴を形成した場合、部屋の模様替え及び引越等により電気機器を移動させる際に、誤って剥離用穴に対応するラベルの部分をユーザが突き破ることも想定できる。ラベルが突き破られると剥離用穴が開口して機器の内部と外部とが連通し、防塵性が悪化すると共に、機器内部への異物の混入等も生じやすくなり、機器内部を確実に保護できないと云う問題がある。
【０００７】
本発明は、斯かる問題に鑑みてなされたものであり、使用時には機器内部の保護を維持できると共に、リサイクル時には短時間で効率的にラベルを除去できるようにした電気機器を提供することを目的とする。
【課題を解決するための手段】
【０００８】
上記課題を解決するために本発明に係る電気機器は、合成樹脂製の筐体の外面にラベルが貼り付けてある電気機器において、ラベル貼付箇所に対応する筐体内面側の部分の周囲に形成してある溝と、該溝の複数箇所で溝内を埋めて筐体内方へ突出してある突出部とを備えることを特徴とする。
【０００９】
本発明にあっては、ラベル貼付箇所に対応する筐体内面側の部分の周囲に溝を形成すると共に、溝の複数箇所に溝内を埋める突出部を設けるので、通常の使用状態では突出部でラベル貼付に係る部分が周囲の筐体部分と強固に繋がるようになり、また、リサイクル時には突出部を折ることでラベル貼付に係る部分が周囲と繋がる強度が弱くなり、この状態で溝を破断することでラベル貼付に係る部分を容易に除去できる。
【００１０】
また、本発明に係る電気機器は、前記溝は、筐体のラベル貼付箇所の厚みの半分以上となる溝深さを有しており、前記突出部は、根元側の外周の一部に凹部が形成してあることを特徴とする。
本発明にあっては、溝深さを筐体のラベル貼付箇所の厚みの半分以上にすることで、リサイクル時の溝の破断を容易に行えるようになり、また、突出部に凹部を形成することで、リサイクル時に突出部を折ることが容易になり、リサイクル作業に係る負担を一段と軽減できる。
【００１１】
さらに本発明に係る電気機器は、前記溝の底部に穴が形成してあることを特徴とする。
本発明にあっては、溝の底部に穴を形成することで、溝自体の破断に対する強度を弱くすることができ、リサイクル時の溝の破断を更に容易に行える。
【００１２】
本発明に係る電気機器は、合成樹脂製の筐体の外面にラベルが貼り付けてある電気機器において、ラベル貼付箇所の周囲に形成してある環状の開口部と、該開口部の外縁側及び内縁側を部分的に連結する連結部と、前記開口部の外縁より筐体内方へ突出してある突出部と、該突出部の突出端から前記開口部を覆うように筐体内面と平行的に延出する延出部とを備えることを特徴とする。
【００１３】
本発明にあっては、開口部の複数箇所に連結部を設ける構成なので、通常の使用状態では連結部によりラベル貼付箇所に係る部分に対する強度を確保でき、リサイクル時には連結部を切断するだけで容易にラベル貼付箇所に係る部分を筐体から除去できる。また、開口部の外縁には突出部及び延出部を設けるので、延出部により筐体の外方から開口部を通じて筐体内部が露出することを防止でき、筐体に開口部を形成しても筐体内部を確実に保護できる。
【００１４】
本発明に係る電気機器は、合成樹脂製の筐体の外面にラベルが貼り付けてある電気機器において、前記筐体は、ラベルの貼り付けに係る外面を含む筐体部分を一方向の断面が外方向へ凸となるように湾曲しており、前記筐体部分に形成してある開口と、該開口に嵌合してあり、前記筐体部分と同様に湾曲してある嵌合部材とを備え、前記嵌合部材にラベルが貼り付けてあることを特徴とする。
【００１５】
本発明にあっては、ラベルを貼り付けた嵌合部材を筐体に形成した開口に嵌合することで筐体を形成するので、嵌合を解除することによりラベルを貼り付けた嵌合部材を容易に除去しリサイクル性を向上できる。また、ラベルの貼付に係る筐体部分及び嵌合部材は外方向へ凸となるように湾曲しているので、外方向からの負荷に対しては強くなり、通常の使用状態では嵌合部材が抜け落ちることがなく、また、リサイクル時には筐体の内方から嵌合部材を押圧することで、嵌合部材に係る押圧は湾曲方向と同方向になって嵌合部材はスムーズに撓み、撓みによる変形で嵌合部材を容易に取り外すことが可能になる。
【００１６】
また、本発明に係る電気機器は、前記開口の内縁には、係合部が形成してあり、前記嵌合部材の前記係合部に対応する外縁には、被係合部が形成してあることを特徴とする。
本発明にあっては、開口には係合部を形成し、嵌合部材には被係合部を形成することにより、開口に嵌合部材が嵌合されている状態での嵌合強度を高めることができ、別体にしてある嵌合部材が通常の使用状態で不意に脱落することを確実に防止できる。
【００１７】
さらに、本発明に係る電気機器は、前記嵌合部材は、前記筐体部分に比べて可撓性が大きいことを特徴とする。
本発明にあっては、嵌合部材は筐体部分に比べて可撓性が大きいので、リサイクル時の筐体内方からの押圧により容易に撓み、一段と嵌合部材の取り外しをスムーズに行うことが可能になる。
【発明の効果】
【００１８】
本発明にあっては、ラベル貼付箇所に対応する筐体内面側の部分の周囲に溝を形成し、溝内を埋める突出部を設けることにより、通常の使用状態ではラベル貼付に係る部分の強度を確保して電気機器の一般的な使用に対応でき、リサイクル時には突出部を折ってラベル貼付に係る部分が周囲と繋がる強度を弱め、この状態で溝を破断することで、容易にラベル貼付に係る部分を除去して筐体の合成樹脂部分のみを獲得でき、リサイクル性を向上できる。
【００１９】
本発明にあっては、溝深さを筐体のラベル貼付箇所の厚みの半分以上にすることで、リサイクル時に溝を容易に破断でき、また、突出部に凹部を形成することで、リサイクル時に突出部を容易に折ることができ、リサイクル作業に係る負担を一段と軽減できる。
本発明にあっては、溝の底部に穴を形成することで、溝自体の破断に対する強度を弱くして、リサイクル時に一段と容易に溝を破断できる。
【００２０】
本発明にあっては、開口部の複数箇所に連結部を設ける構成なので、通常の使用状態では連結部でラベル貼付箇所に係る部分を繋ぎ止め、リサイクル時には連結部を切断するだけでラベル貼付箇所に係る部分を筐体から除去でき、筐体の合成樹脂部分のみを容易に獲得してリサイクル作業の効率化を図れる。
【００２１】
本発明にあっては、ラベルを貼り付けた嵌合部材を筐体に形成した開口に嵌合すると共に、筐体部分及び嵌合部材は外方向へ凸となるように湾曲してあるので、通常の使用状態では筐体の外方からの外力を嵌合部材に受けても湾曲した形状により強く受け止めることができ、一方、リサイクル時には、筐体の内方から嵌合部材を外方へ押圧することで嵌合部材が撓んで容易に開口から嵌合部材を抜き取ることができ、特に工具を用いることなく筐体のリサイクル作業を効率的に行える。
【００２２】
本発明にあっては、開口には係合部を形成し、嵌合部材には被係合部を形成することで、開口に嵌合部材が嵌合されている状態での嵌合強度を高めることができ、別体にしてある嵌合部材の不用意な脱落を確実に防止できる。
本発明にあっては、嵌合部材は筐体部分に比べて可撓性が大きいので、嵌合部材が撓みやすくなり、リサイクル時の嵌合部材の取り外しを一段と容易に行える。
【発明を実施するための最良の形態】
【００２３】
図１（ａ）は、本発明の第１実施形態に係る電気機器に相当するテレビジョン装置１の背面側からの斜視図である。テレビジョン装置１は、ボックス形状である合成樹脂製の筐体２を有しており、背板部２ａの外面２ｂの略中央となるラベル貼付箇所２ｃに、テレビジョン装置１の定格出力（図示せず）、型番、製造番号、及び製造者（又は販売者）を示した矩形状のラベル３を貼り付けている。ラベル３は主に紙を材質にしており、リサイクル時に除去する必要がある。
【００２４】
図１（ｂ）は、筐体２を内面側から見た場合の背板部２ａを示す斜視図である。背板部２ａは、内面２ｄにおける外面２ｂ側のラベル貼付箇所２ｃに対応する矩形部分２ｅの周囲に溝４を形成している。図２（ａ）に示すように、本実施形態の溝４の溝深さＤは、溝底部４ｃの厚みが１ｍｍとなるように決められている。なお、溝底部４ｃの厚みは１ｍｍに限定されるものではなく、背板部２ａの板厚Ｔと溝深さＤとの関係に応じて設定でき、溝深さＤを板厚Ｔの１／２以上、特に２／３から４／５程度となるように設定することが、後述するリサイクル工程で溝底部４ｃを容易に破断可能にするために好適となる。
【００２５】
また、図１（ｂ）に示すように、背板部２ａは、溝４の対向する長辺部分４ａ、４ｂに間隔を隔てて円筒状の突出部５を筐体内方へ夫々突出している。各突出部５は、図２（ｂ）に示すように、溝底部４ｃから伸びて溝４の内部を埋めると共に背板部２ａの内面２ｄとも繋がっている。また、各突出部５は突出端から根元側へ中空部５ｂを形成すると共に、根元側の溝４内で露出している外周にＶ字状に切り欠いた凹部５ａを形成している。なお、凹部５ａは矩形部分２ｅの内面を越えて形成されており、また各凹部５ａは、各突出部５において同方向に形成するか、又は溝４の外周輪郭に対応した方向に形成することが、後述するリサイクル工程で突出部５を効率的に折るために好適である。
【００２６】
このように計４本の突出部５を設けることで、突出部５を設けた箇所は溝４が埋められて背板部２ａの板厚Ｔと同等の厚みが確保され、テレビジョン装置１の通常の使用状態では、溝４内の矩形部分２ｅが背板部２ａから抜けないように所定の仕様に対応した強度を有している。また、突出部５には中空部５ｂ及び凹部５ａを形成することで、突出部５の側方からの打撃に対する強度を弱くしている。
【００２７】
なお、突出部５を設けた筐体２の射出成形には、図３（ａ）（ｂ）に示すスライドコア６ｃを有する上金型６及び下金型７を用いている。上金型６には突出部５の形成に対応した窪み６ａとスライドコア６ｃを収容する収容部６ｂとが形成されている。また、スライドコア６ｃは図示しない駆動手段により図中の矢印方向に移動可能であり、先端は突出部５の凹部５ａに対応した形状になっている。図３（ａ）に示す両金型６、７の型締め前では、スライドコア６ｃは後退しており、図３（ｂ）の型締め時にスライドコア６ｃは前進し、この状態で上金型６と下金型７との間に形成されるキャビィティに合成樹脂が充填される。また、型開き時にはスライドコア６ｃが後退してから型開きが行われる。
【００２８】
図４（ａ）〜（ｂ）は、筐体２のリサイクル工程でラベル３が貼り付けてある矩形部分２ｅを除去する作業内容を示している。先ず、図４（ａ）に示すようにハンマー８で各突出部５を凹部５ａの方向から打撃を行って各突出部５を折る。なお、各突出部５は、内部が中空であると共に凹部５ａが形成されているので、凹部５ａからのハンマー８の打撃により容易に突出部５を折ることができる。また、突出部５が折られることで、矩形部分２ｅと溝４を介した周囲部分との繋がり強度は弱くなる。
【００２９】
それから、図４（ｂ）に示すように、矩形部分２ｅを筐体内面側からハンマー８で打撃を行う。この矩形部分２ｅへの打撃により、厚みが薄くなっている溝底部４ｃが破断し、図４（ｃ）に示すように、筐体２の背板部２ａから矩形部分２ｅを除去できる。なお、ラベル３が貼り付けたままの矩形部分２ｅは廃棄処分にする。よって、筐体２の矩形部分２ｅが除去された部分は全て合成樹脂のみの材料となり、リサイクル性が向上する。また、ラベル３が貼り付けられた矩形部分２ｅの除去は、ハンマー８の打撃のみで行うので、従来のハンマー等の機械工具でラベルを削る取る作業形態に比べて短時間で効率的に除去でき、粉塵等も発生しないので作業環境を悪化させることもない。
【００３０】
なお、第１実施形態のテレビジョン装置１に係る構造は、上述した形態に限定されるものでなく、種々の変形例の適用が可能である。先ず、第１実施形態に係るリサイクルに適した筐体２の構成は、テレビジョン装置以外の各種電気機器が有する合成樹脂製の筐体に適用できる。また、図１（ｂ）に示す突出部５の本数は４本に限定されず、矩形部分２ｅの寸法に応じて適宜増減することが可能であり、さらに、突出部５は溝４の短辺部分に設けることも可能である。
【００３１】
さらにまた、図５に示すように、溝４の溝底部４ｃには、所要間隔で溝方向に沿って長四角穴のスリット４ｄを設けるようにしてもよい。このようにスリット４ｄを設けることで溝底部４ｃの強度が弱くなり、ハンマー８の打撃により一段と容易に矩形部分２ｅを取り外すことができる。なお、長四角穴の各スリット４ｄは、溝４の幅方向を長手方向にして複数形成することも可能である。
【００３２】
また、図６（ａ）は、変形例に係る突出部５′を設けた背板部２ａの内面２ｄ側の構成を示している。突出部５′はブロック状であり、溝４を埋めて塞ぐ一方、図６（ｂ）に示すように背板部２ａの外面２ｂ側に開口した凹部５ａ′を形成している。このような変形例の突出部５′を有する背板部２ａからラベル３が貼り付けられた矩形部分２ｅを取り外すには、図６（ｃ）に示すように、ニッパー９で突出部５′を切断し、それから図４（ｂ）と同様に、矩形部分２ｅをハンマー８で打撃を行うことにより、矩形部分２ｅを容易に除去できる。
【００３３】
図７（ａ）は、本発明の第２実施形態に係る電気機器に相当するテレビジョン装置１０の背面側からの斜視図である。テレビジョン装置１０は、第１実施形態と同様にボックス形状である合成樹脂製の筐体１２を有し、背板部１２ａの外面１２ｂの略中央にラベル貼付箇所１２ｃを設け、このラベル貼付箇所１２ｃに型番及び製造番号等を示す矩形状のラベル１３を貼り付けている。第２実施形態では、ラベル貼付箇所１２ｃの周囲に環状の開口部１４を形成し、開口部１４の外縁側及び内縁側を４箇所で連結するリブ１１（連結部に相当）を設けている。
【００３４】
図７（ｂ）は、内面側から見た場合の背板部１２ａを示す斜視図であり、背板部１２ａは、開口部１４の周囲に周壁１５を設けている。周壁１５は、図８（ａ）に示すように、開口部１４の外縁１４ａから筐体１２の内方へ突出する壁状の突出部１５ａと、突出部１５ａの突出端１５ｂから筐体１２の内面１２ｄに対して平行的に延出する延出部１５ｃとにより形成されて断面が逆Ｌ字状になっている。この延出部１５ｃにより筐体１２の外側からは、開口部１４を通じて筐体１２へ直接的に連通しないようにして、筐体１２内への異物混入等を防止する。なお、開口部１４の内縁１４ｂは、射出成形時の金型の抜けを容易にするため筐体内方へ開口幅が狭くなるように傾斜している。
【００３５】
また、図８（ｂ）に示すように、リブ１１は、開口部１４の外縁１４ａ側となる周壁１５の突出部１５ａ及び延出部１５ｃと開口部１４の内縁１４ｂとを連結するように形成されている。このリブ１１によりラベル貼付箇所１２ｃに対応する矩形部分１２ｅは、開口部１４を介した周囲の背板部１２ａと強固に連結され、通常の使用時における所定の仕様を満たす強度を確保している。
【００３６】
なお、周壁１５の射出成形には、図９に示す上金型１６及び下金型１７を用いている。上金型１６には周壁１５の形成に対応した窪み１６ａが形成されており、一方、下金型１７には開口部１４の形成に対応した凸部１７ａが形成されている。上金型１６及び下金型１７は、型締め時に凸部１７ａの一部が窪み１６ａの一部に当接するように配置してあり、型締めにより両金型１６、１７の間に形成されたキャビティに合成樹脂が充填されて開口部１４、周壁１５等が形成される。なお、図８（ｂ）に示すリブ１１の形成に対応する部分では、下金型１７の凸部１７ａが上金型１６と当接しないように低くした形状になっている。
【００３７】
上述した構成の筐体１２の背板部１２ａからラベル１３が貼り付けられた矩形部分１２ｅを取り外すには、図１０に示すように計４箇所のリブ１１に対して図中に示す一点鎖線部分をニッパー９で夫々切断することにより、矩形部分１２ｅを容易に除去できる。よって、矩形部分１２ｅを除去した残りの筐体部分は合成樹脂のみの材料となり、リサイクル性が向上する。また、第２実施形態ではラベル１３が貼り付けられた矩形部分１２ｅの除去をニッパー９のみで行えるので、従来のラベルを削る取る作業形態に比べて格段に短時間で矩形部分１２ｅを除去でき、作業環境の悪化も生じない。
【００３８】
なお、第２実施形態のテレビジョン装置１０に係る構造も、上述した形態に限定されるものでなく、種々の変形例の適用が可能であり、例えば、第２実施形態のリサイクルに適した筐体１２の構成は、テレビジョン装置以外の各種電気機器が有する合成樹脂製の筐体に適用できる。また、リブ１１を設ける個数は図７（ａ）（ｂ）に示すように、４個に限定されるものではなく、矩形部分１２ｅの寸法に応じて適宜増減可能である。
【００３９】
図１１（ａ）は、本発明の第３実施形態に係る電気機器に相当するテレビジョン装置２０の背面側からの斜視図である。テレビジョン装置２０は、第１及び第２実施形態と同様にボックス形状である合成樹脂製の筐体２２を有し、筐体２２は背面側に図中のＨ方向へ沿って外方向に凸となるように湾曲した背板部２２ａを設けている。この背板部２２ａは、型番及び製造番号等を示すラベル２３が貼り付けられた外面２２ｂに係る筐体部分に相当し、図１２（ａ）に示すように背板部２２ａの断面は弓状に外方向へ湾曲した形状になっている。なお、背板部２２ａは、図１１（ａ）中のＨ方向に垂直な方向に対しては湾曲していない。
【００４０】
また、背板部２２ａは、図１１（ｂ）に示すように、略中央となる箇所に矩形状の開口２４を、開口２４の長辺２４ｃ、２４ｄが図１１（ａ）に示すＨ方向と平行となるように形成している。さらに、背板部２２ａは、開口２４に矩形状の嵌合部材２１を嵌合している。なお、第３実施形態では、背板部２２ａを含む筐体２２は、材質にポリスチレンを適用しており、開口２４に嵌合される嵌合部材２１には背板部２２ａより可撓性が大きい材質（例えば、ポリプレプロピレン、ナイロン等）を適用している。
【００４１】
開口２４は、図１１（ｂ）に示す一組の対向する左内縁部２４ａ及び右内縁部２４ｂに凸状の係合部２４ｅを夫々設けている（図１２（ａ）参照）。係合部２４ｅは、図１３（ａ）に示すように、背板部２２ａの外面２２ｂ側の外斜面２４ｆを、内面２２ｄ側の内斜面２４ｇより大きくしている。また、開口２４は、上下の長辺２４ｃ、２４ｂの内縁部は、図１２（ｂ）に示すように、平らな周面形状にしている。
【００４２】
一方、嵌合部材２１は、図１２（ａ）に示すように、開口２４への嵌合状態で背板部２２ａの湾曲方向に沿って背板部２２ａと同様に湾曲しており、背板部２２ａの外面２２ｂ側となる外側面２１ａには型番及び製造番号等を示したラベル２３を貼り付けられる凹部２１ｂを形成している。嵌合部材２１は、開口２４への嵌合状態で開口２４の係合部２４ｅに対応する外縁部２１ｄに、Ｖ字状に窪んだ被係合部２１ｃを夫々形成している。被係合部２１ｃは、図１３（ｂ）に示すように、外側面２１ａに対応する外側斜面２１ｅを対向する内側斜面２１ｆに比べて大きくして、開口２４の係合部２４ｅの形状に合致するようにしている。なお、図１２（ｂ）に示すように、嵌合部材２１の上下の外縁部は平らな形状にしている。
【００４３】
上述した構成の嵌合部材２１は、撓むように変形させて開口２４に嵌合させて筐体２２を完成させている。図１２（ａ）に示すように、嵌合状態では開口２４の係合部２４ｅに嵌合部材２１の被係合部２１ｃが夫々係合している。よって、筐体外方から負荷が嵌合部材２１にかかっても（図中の矢印方向）、背板部２２ａ及び嵌合部材２１は外方に湾曲していることから、負荷に強く抗することができ、さらに、係合部２４ｅの外斜面２４ｆは内斜面２４ｇより大きいので（図１３（ａ）参照）、筐体２２の外側からの負荷を大きな面で受け止めて嵌合部材２１が開口２４から抜けることを防止できる。その結果、筐体２２は、ラベル２３を貼り付ける箇所を別部材にしても、所定の仕様強度を確保している。
【００４４】
また、リサイクル時に嵌合部材２１を取り外すには、図１４に示すように、筐体２２の内側から嵌合部材２１を押圧する。押圧により嵌合部材２１は撓むが、撓む方向が嵌合部材２１の湾曲方向と同方向になるので容易に撓み、また、開口２４の係合部２４ｅと被係合部２１ｃとの係合は、小さい寸法の内斜面２４ｇ及び内側斜面２１ｆで行われているので（図１３（ａ）（ｂ）参照）、上述した嵌合部材２１の撓みにより内斜面２４ｇと内側斜面２１ｆとの係合が外れ、嵌合部材２１を容易に外方へ抜き取ることができる。そのため、第３実施形態に係る構成では、特別な工具を用いることなく、ラベル２３が貼り付けられた嵌合部材２１を筐体２２の内側から外方へ押圧するだけで容易に取り外すことができ、効率的にラベル２３を除去でき、作業環境の悪化も生じない。
【００４５】
なお、第３実施形態のテレビジョン装置２０に係る構造も、上述した形態に限定されるものでなく、種々の変形例の適用が可能であり、例えば、第３実施形態のリサイクルに適した筐体２０の構成も、テレビジョン装置以外の各種電気機器が有する合成樹脂製の筐体に適用できる。
【００４６】
また、図１５に示すように、係合部と被係合部の形状は上述した関係と逆にすることも可能であり、開口２４′の内縁部２４ｂ′にＶ字状の窪みからなる係合部２４ｅ′を設け、嵌合部材２１′の外縁部２１ｄ′には凸状の被係合部２１ｃ′を設けてもよい。この変形例の場合、筐体２２の外方からの負荷に耐え得るように、係合部２４ｅ′の内斜面２４ｇ′を外斜面２４ｆ′に比べて大きくすると共に、それに対応して嵌合部材２１′の内側斜面２１ｆ′を外側斜面２１ｅ′に比べて大きくすることが好適である。
【図面の簡単な説明】
【００４７】
【図１】（ａ）は本発明の第１実施形態に係るテレビジョン装置の背面側からの斜視図であり、（ｂ）は筐体内面の要部の斜視図である。
【図２】（ａ）は図１（ｂ）のＡ−Ａ線における断面図、（ｂ）は図１（ｂ）のＢ−Ｂ線における断面図である。
【図３】第１実施形態に係る成形用の金型であり、（ａ）は型締め前の状態を示す概略図、（ｂ）は型締め時の状態を示す概略図である。
【図４】第１実施形態に係るリサイクル工程であり、（ａ）は突出部へのハンマーによる打撃を示す概略図、（ｂ）は矩形部分へのハンマーによる打撃を示す概略図、（ｃ）は矩形部分の除去を示す概略図である。
【図５】第１実施形態の変形例に係る筐体内面の要部を示す概略図である。
【図６】（ａ）は、第１実施形態の別の変形例に係る筐体内部の要部の概略図、（ｂ）は図６（ａ）のＣ−Ｃ線における断面図、（ｃ）はニッパーによる突出部の切断を示す概略図である。
【図７】（ａ）は本発明の第２実施形態に係るテレビジョン装置の背面側からの斜視図であり、（ｂ）は筐体内面の要部の斜視図である。
【図８】（ａ）は図７（ｂ）のＤ−Ｄ線における断面図、（ｂ）は図７（ｂ）のＥ−Ｅ線における断面図である。
【図９】第２実施形態に係る成形用の金型を示す概略図である。
【図１０】ニッパーによるリブの切断を示す概略図である。
【図１１】（ａ）は本発明の第３実施形態に係るテレビジョン装置の背面側からの斜視図であり、（ｂ）は筐体に設けられた開口を示す斜視図である。
【図１２】（ａ）は図１１（ａ）のＦ−Ｆ線における断面図、（ｂ）は図１１（ａ）のＧ−Ｇ線における断面図である。
【図１３】（ａ）は開口の内縁部の係合部を示す断面図、（ｂ）は嵌合部材の外縁部の被係合部を示す概略図である。
【図１４】リサイクル時における嵌合部材の除去を示す断面図である。
【図１５】第３実施形態の変形例に係る係合部及び被係合部を示す概略断面図である。
【符号の説明】
【００４８】
１、１０、２０  テレビジョン装置
２、１２、２２  筐体
３、１３、２３  ラベル
４  溝
４ｃ  溝底部
４ｄ  スリット
５、５′  突出部
５ａ  凹部
８  ハンマー
９  ニッパー
１１  リブ
１４  開口部
１４ａ  外縁
１４ｂ  内縁
１５  周壁
１５ａ  突出部
１５ｂ  延出部
２１  嵌合部材
２１ｃ  被係合部
２４  開口
２４ｅ  係合部
【図１】
2006054218.tif 000003
【図２】
2006054218.tif 000004
【図３】
2006054218.tif 000005
【図４】
2006054218.tif 000006
【図５】
2006054218.tif 000007
【図６】
2006054218.tif 000008
【図７】
2006054218.tif 000009
【図８】
2006054218.tif 000010
【図９】
2006054218.tif 000011
【図１０】
2006054218.tif 000012
【図１１】
2006054218.tif 000013
【図１２】
2006054218.tif 000014
【図１３】
2006054218.tif 000015
【図１４】
2006054218.tif 000016
【図１５】
2006054218.tif 000017